(57)【要約】 【課題】緊急事態発生時に本人に代わって第三者が緊急連絡を行うことができるようにする。 【解決手段】ＣＰＵ１は、カードＩＦ部１３に加入者カード１４が装着された際に、本人の正規なカードが装着されたか否かを判別し、非正規なカードが装着された場合にそのカードに「緊急連絡先番号」が記録されていれば、この「緊急連絡先番号」に基づいた緊急処理を実行する。この緊急処理として、この緊急連絡先の電話番号を読み出して表示出力させたり、加入者カード１４に記録されている「加入者電話番号」を発信元として緊急連絡先の電話番号宛に電話発信を行う。 【選択図】  図１
2008048082.tif 000002
【特許請求の範囲】
【請求項１】
加入者電話番号が記録されている記録メディアが装着可能な携帯電話装置であって、
前記記録メディアの装着時にそれに記録されている加入者電話番号に基づいて当該電話装置に本人の正規な記録メディアが装着されたか否かを判別する第１の判別手段と、
この第１の判別手段によって正規な記録メディアが装着されたことが判別された場合には、当該電話装置の使用を許可する第１の制御手段と、
前記第１の判別手段によって非正規な記録メディアが装着されたことが判別された場合に、当該記録メディア内に緊急用情報が記録されているか否かを判別する第２の判別手段と、
この第２の判別手段によって緊急用情報が記録されていないことが判別された場合には、当該電話装置の使用を禁止し、緊急用情報が記録されていることが判別された場合には、この緊急用情報に基づいた緊急処理の実行を許可する第２の制御手段と、
を具備したことを特徴とする携帯端末装置。
【請求項２】
加入者電話番号が記録されている記録メディアが装着可能な携帯電話装置であって、
前記記録メディアの装着時にそれに記録されている加入者電話番号に基づいて当該電話装置に本人の正規な記録メディアが装着された場合に、当該電話装置の使用を制限する制限状態に設定されているか否かを判別する第１の判別手段と、
この第１の判別手段によって制限状態に設定されていないことが判別された場合に、当該電話装置の使用を許可する第１の制御手段と、
前記第１の判別手段によって制限状態に設定されていることが判別された場合に、当該記録メディア内に緊急用情報が記録されているか否かを判別する第２の判別手段と、
この第２の判別手段によって緊急用情報が記録されていないことが判別された場合には、当該電話装置の使用を禁止し、緊急用情報が記録されていることが判別された場合には、この緊急用情報に基づいた緊急処理の実行を許可する第２の制御手段と、
を具備したことを特徴とする携帯電話装置。
【請求項３】
前記緊急用情報は、緊急連絡先の電話番号であり、前記緊急処理は、この緊急連絡先の電話番号を読み出して表示出力させる表示処理である、
ことを特徴とする請求項1あるいは２記載の携帯電話装置。
【請求項４】
前記緊急用情報は、緊急連絡先の電話番号であり、前記緊急処理は、前記記録メディアに記録されている加入者電話番号を発信元として前記緊急連絡先の電話番号宛に電話発信を行う発信処理である、
ことを特徴とする請求項1あるいは２記載の携帯電話装置。
【請求項５】
前記第２の制御手段は、緊急処理の実行可否を問い合わせるための確認メッセージを出力したのち、緊急指示操作が行われたことを条件に前記緊急用情報に基づいた緊急処理を開始する、
ようにしたことを特徴とする請求項1あるいは２記載の携帯電話装置。
【請求項６】
コンピュータに対して、
前記記録メディアの装着時にそれに記録されている加入者電話番号に基づいて当該電話装置に本人の正規な記録メディアが装着されたか否かを判別する機能と、
正規な記録メディアが装着されたことが判別された場合には、当該電話装置の使用を許可する機能と、
非正規な記録メディアが装着されたことが判別された場合に、当該記録メディア内に緊急用情報が記録されているか否かを判別する機能と、
緊急用情報が記録されていないことが判別された場合には、当該電話装置の使用を禁止し、緊急用情報が記録されていることが判別された場合には、この緊急用情報に基づいた緊急処理の実行を許可する機能と、
を実現させるためのプログラム。
【請求項７】
コンピュータに対して、
前記記録メディアの装着時にそれに記録されている加入者電話番号に基づいて当該電話装置に本人の正規な記録メディアが装着された場合に、当該電話装置の使用を制限する制限状態に設定されているか否かを判別する機能と、
制限状態に設定されていないことが判別された場合に、当該電話装置の使用を許可する機能と、
制限状態に設定されていることが判別された場合に、当該記録メディア内に緊急用情報が記録されているか否かを判別する機能と、
緊急用情報が記録されていないことが判別された場合には、当該電話装置の使用を禁止し、緊急用情報が記録されていることが判別された場合には、この緊急用情報に基づいた緊急処理の実行を許可する機能と、
を実現させるためのプログラム。
【発明の詳細な説明】
【技術分野】
【０００１】
この発明は、加入者電話番号が記録されている記録メディアが装着可能な携帯電話装置及びプログラムに関する。
【背景技術】
【０００２】
従来、加入者情報として加入者登録番号（ユーザ識別情報）、加入者電話番号、通話料金などが記録されているＳＩＭ（Subscriber Identity Module）カードが装着可能な携帯電話装置としては、例えば、ＳＩＭカードが装着された際に、携帯電話側に設定されている加入者番号とカード側に記録されている加入者番号とを照合し、その結果、両者の一致を検出したことを条件として使用可能となる携帯電話装置が知られている（特許文献１参照）。
【特許文献１】特開２００４−３２８３７２号公報
【発明の開示】
【発明が解決しようとする課題】
【０００３】
このようにＳＩＭカードの装着時に加入者番号から本人確認を行うことによって第三者による不正な使用を効果的に防止することが可能となる。つまり、ＳＩＭカードを抜き取った状態で携帯電話を紛失したり、盗難されたとしても、非正規なＳＩＭカードでは、携帯電話のロックを解除することができないようになっているため、第三者による不正な使用を防止することができる。
一方、一般に携帯電話には、ユーザ認証機能が設けられており、ＳＩＭカードが装着されたままの状態で紛失したり、盗難されたとしても、パスワード照合、指紋照合などによって正規なユーザであると認証されない限り、そのロック状態を解除することができないようになっているため、第三者による不正な使用を防止することができる。
【０００４】
ところで、例えば、本人が事故、病気などで倒れてしまい、本人自らがその家族などに連絡できない場合、その周囲の人や救急隊員が本人に代わってその家族などに連絡しようとしても、第三者が連絡を行うことはできなかった。すなわち、本人の携帯電話からＳＩＭカードを抜き出し、それを第三者所持の携帯電話に装着したとしても、上述した加入者番号を照合した結果、加入者番号の不一致が検出されてしまう。また、本人の携帯電話装置にＳＩＭカードが装着されている場合に、第三者がその携帯電話を使おうとしても、パスワード照合、指紋照合などのユーザ認証の結果、照合エラーとなるため、そのロック状態を解除することができない。
【０００５】
この発明の課題は、緊急事態発生時に本人に代わって第三者が緊急連絡を行うことができるようにすることである。
【課題を解決するための手段】
【０００６】
請求項１記載の発明（第１の発明）は、加入者電話番号が記録されている記録メディアが装着可能な携帯電話装置であって、前記記録メディアの装着時にそれに記録されている加入者電話番号に基づいて当該電話装置に本人の正規な記録メディアが装着されたか否かを判別する第１の判別手段と、この第１の判別手段によって正規な記録メディアが装着されたことが判別された場合には、当該電話装置の使用を許可する第１の制御手段と、前記第１の判別手段によって非正規な記録メディアが装着されたことが判別された場合に、当該記録メディア内に緊急用情報が記録されているか否かを判別する第２の判別手段と、この第２の判別手段によって緊急用情報が記録されていないことが判別された場合には、当該電話装置の使用を禁止し、緊急用情報が記録されていることが判別された場合には、この緊急用情報に基づいた緊急処理の実行を許可する第２の制御手段とを具備したことを特徴とする。
更に、コンピュータに対して、上述した請求項１記載の発明に示した主要機能を実現させるためのプログラムを提供する（請求項６記載の発明）。
【０００７】
なお、上述した請求項１記載の発明は次のようなものであってもよい。
前記緊急用情報は、緊急連絡先の電話番号であり、前記緊急処理は、この緊急連絡先の電話番号を読み出して表示出力させる表示処理である（請求項３記載の発明）。
【０００８】
前記緊急用情報は、緊急連絡先の電話番号であり、前記緊急処理は、前記記録メディアに記録されている加入者電話番号を発信元として前記緊急連絡先の電話番号宛に電話発信を行う発信処理である（請求項４記載の発明）。
【０００９】
前記第２の制御手段は、緊急処理の実行可否を問い合わせるための確認メッセージを出力したのち、緊急指示操作が行われたことを条件に前記緊急用情報に基づいた緊急処理を開始する（請求項５記載の発明）。
【００１０】
請求項２記載の発明（第２の発明）は、加入者電話番号が記録されている記録メディアが装着可能な携帯電話装置であって、前記記録メディアの装着時にそれに記録されている加入者電話番号に基づいて当該電話装置に本人の正規な記録メディアが装着された場合に、当該電話装置の使用を制限する制限状態に設定されているか否かを判別する第１の判別手段と、この第１の判別手段によって制限状態に設定されていないことが判別された場合に、当該電話装置の使用を許可する第１の制御手段と、前記第１の判別手段によって制限状態に設定されていることが判別された場合に、当該記録メディア内に緊急用情報が記録されているか否かを判別する第２の判別手段と、この第２の判別手段によって緊急用情報が記録されていないことが判別された場合には、当該電話装置の使用を禁止し、緊急用情報が記録されていることが判別された場合には、この緊急用情報に基づいた緊急処理の実行を許可する第２の制御手段とを具備したことを特徴とする。
更に、コンピュータに対して、上述した請求項２記載の発明に示した主要機能を実現させるためのプログラムを提供する（請求項７記載の発明）。
なお、上述した請求項２記載の発明は、上述した請求項３〜５記載の発明であってもよい。
【発明の効果】
【００１１】
第１の発明は、非正規な記録メディアが装着された場合に当該記録メディア内に緊急用情報が記録されていれば、この緊急用情報に基づいた緊急処理の実行を許可することにより、緊急事態発生時に、第三者が本人の携帯電話から記録メディアを抜き出し、それを第三者所持の携帯電話に装着したとしても、本人に代わって緊急連絡を行うことができる。
【００１２】
第２の発明は、本人の正規な記録メディアが装着されている場合に当該記録メディア内に緊急用情報が記録されていれば、制限設定されている状態であっても、この緊急用情報に基づいた緊急処理の実行を許可することにより、緊急事態発生時に、本人に代わって第三者が本人の携帯電話を使用して緊急連絡を行うことができる。
【発明を実施するための最良の形態】
【００１３】
以下、図１〜図７を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、通話機能、メール機能、インターネット接続機能（Ｗｅｂアクセス機能）などの各種の機能が備えられている。そして、携帯電話装置の電源投入時にはその起動（立ち上げ）が制限されており、この制限ロック状態を解除する条件としてユーザ本人のパスワードを入力するようにしている。
【００１４】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図３〜図５に示す動作手順に応じて本実施例を実現するためのプログラムが格納されている。記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリであり、必要に応じてメモリ４内の各種のデータは、記憶部２にセーブされる。
【００１５】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナから発信出力させる。一方、電子メール機能、インターネット接続機能などによって電話通信部５を介して受信取得した表示データは、表示制御部９を介してＬＣＤ（液晶表示装置）などのメイン表示部１０に与えられて表示出力される。サブ表示部１１は現在日時、簡易なメッセージ、アイコンなどを表示する。
【００１６】
キー操作部１２は、ダイヤル入力、文字入力、パスワード入力、コマンド入力などを行うもので、ＣＰＵ１は、キー操作部１２からのキー入力信号に応じた処理を実行する。カードＩＦ（インターフェイス）部１３は、加入者情報などが記録されている加入者カード１４がそのスロット部に装着されるもので、加入者カード１４に対して加入者情報などの読み出し及び書き込み動作を行う。加入者カード１４は、ＳＩＭカードあるいはＵＩＭ（User Identity Module）カードであり、予め各種の加入者情報などが記録されている記録メディアであり、電話装置の使用時には、カードＩＦ部１３に装着するようにしている。
【００１７】
図２は、加入者カード１４の記録内容を示した図である。
この加入者カード１４には、加入者情報として「加入者登録番号（ユーザ識別情報）」、「加入者電話番号」などが記録されているほか、「通話料金」、「緊急連絡先番号」、「パスワード」などが記録されている。この「加入者電話番号」は、携帯電話装置側の記憶部２にも内部記憶されており、この加入者カード１４がカードＩＦ部１３に装着された際に、ＣＰＵ１は、加入者カード１４からカードＩＦ部１３によって読み取られた「加入者電話番号」と記憶部２から読み出した「加入者電話番号」とを照合することによってユーザ本人の正規な加入者カード１４が装着されたか否かを判別するようにしている。このように加入者カード１４の装着時に「加入者電話番号」から本人確認を行い、その判別結果に応じて当該携帯電話装置のロック状態を維持したり、解除するようにしている。
【００１８】
「緊急連絡先番号」は、ユーザ本人が事故、病気などのアクシデントによる緊急事態発生時に、その家族などに連絡するために予め登録しておいた電話番号であり、加入者カード１４には他の加入者情報と区別するために緊急識別フラグ（図中丸印）が付加されている。ここで、上述した加入者電話番号を照合した結果、加入者電話番号が不一致の場合には、非正規なカードとして、例えば、第三者の加入者カード１４が装着された可能性があるので、ＣＰＵ１は、カードＩＦ部１３に対して「緊急連絡先番号」の読み取りを指示したのち、加入者カード１４に「緊急連絡先番号」が記録されているかを判別するようにしている。この場合、「緊急連絡先番号」が記録されていなければ、当該携帯電話装置のロック状態を維持してその使用を禁止するが、「緊急連絡先番号」が記録されていれば、この「緊急連絡先番号」に基づいた緊急処理を実行するようにしている。
【００１９】
また、上述した加入者電話番号を照合した結果、加入者電話番号が一致していれば、本人の正規な加入者カード１４が装着された場合であるから、ＣＰＵ１は、電源オン時に当該携帯電話装置が制限ロック状態に設定されているかを判別し、そのロックが解除されていれば、その使用を許可するが、制限ロックの状態であれば、第三者による無断使用の可能性があるので、ＣＰＵ１は、カードＩＦ部１３に対して「緊急連絡先番号」の読み取りを指示したのち、加入者カード１４に「緊急連絡先番号」が記録されているかを判別するようにしている。この場合、「緊急連絡先番号」が記録されていなければ、パスワード認証処理を実行するが、「緊急連絡先番号」が記録されていれば、パスワード認証を行うことなく、この「緊急連絡先番号」に基づいた緊急処理を実行するようにしている。
【００２０】
次にこの実施例における携帯電話装置の動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２１】
図３〜図５は、電源ＯＮ（オン）に伴って実行開始される携帯電話装置の全体動作を示したフローチャートである。
先ず、ＣＰＵ１は、カードＩＦ部１３のスロットに加入者カード１４が装着されているかを調べ（ステップＳ１）、電源オン時に加入者カード１４が未装着であれば、加入者カード１４の装着を促すメッセージと共に、エラーを示すＮＧメッセージを表示出力させたのち（ステップＳ２）、電源オフ状態となるが、電源オン時に加入者カード１４が装着されていれば（ステップＳ１でＹＥＳ）、カードＩＦ部１３に対して「加入者電話番号」の読み取りを指示し、それに応答して加入者カード１４からカードＩＦ部１３を介して読み取られた「加入者電話番号」と内部記憶されている「加入者電話番号」とを比較し、両者は一致するかを判別する（ステップＳ３）。
【００２２】
上述した加入者電話番号を照合した結果、両者が不一致の場合には（ステップＳ４でＮＯ）、メイン表示部１０に緊急確認画面を表示出力させる（ステップＳ５）。図６は、この緊急確認画面を示した図である。この緊急確認画面には「緊急ボタン」が配置表示されるほか、緊急処理の実行可否を問い合わせるメッセージが表示され、本人に代わる緊急連絡時には「緊急ボタン」を操作すべきことが案内表示される。いま、「緊急ボタン」が操作されない場合には（ステップＳ６でＮＯ）、緊急連絡時ではなく、本人が正規以外のカードを間違えて装着した場合あるいは他人のカードを装着した場合であるからステップＳ２に移り、正規なカードに交換すべきことを促すメッセージと共に、エラーを示すＮＧメッセージを表示出力させたのち、電源オフ状態となる。
【００２３】
ここで、「緊急ボタン」が操作されるのは、本人に代わって第三者が緊急連絡する場合である。すなわち、本人が事故、病気などで倒れてしまって本人自らがその家族などに連絡することができず、その周囲の人や救急隊員が本人に代わって緊急連絡するために、本人の携帯電話送信から加入者カード１４を抜き出し、それを第三者所持の携帯電話装置に装着した場合である。このような場合、ＣＰＵ１は、「緊急ボタン」の操作に応答して（ステップＳ６でＹＥＳ）、カードＩＦ部１３に対して「緊急連絡先番号」の読み取りを指示したのち、加入者カード１４に「緊急連絡先番号」が記録されているかを判別する（ステップＳ７）。その結果、加入者カード１４に「緊急連絡先番号」が記録されていなければ、ＮＧメッセージを表示出力させたのち（ステップＳ２）、電源オフ状態となるが、「緊急連絡先番号」が記録されていれば（ステップＳ７でＹＥＳ）、緊急発信画面を表示出力させる（ステップＳ８）。
【００２４】
図７は、この緊急発信画面を示した図である。この緊急発信画面には、「緊急連絡先番号」が案内表示されるほか、「発信ボタン」が配置表示される。なお、加入者カード１４に「本人との関係」を記録しておくことにより、緊急発信画面内に本人と緊急連絡先との関係（例えば、家族であれば、続柄）を案内表示するようにしてもよい。ここで、ＣＰＵ１は、「発信ボタン」が操作されたかを判別したり（ステップＳ９）、電源ＯＦＦ（オフ）操作が行われたかを判別する（ステップＳ１０）。いま、「発信ボタン」が操作されたときには、この「緊急連絡先番号」を発信先として指定し（ステップＳ１１）、カード内の「加入者電話番号」を発信元として電話発信を行う（ステップＳ１２）。この場合、回線接続が確立されるとそれが遮断されるまで通話状態となる（ステップＳ１３）。なお、接続不能あるいは回線遮断時には緊急発信画面に戻る（ステップＳ８）。
【００２５】
他方、上述した加入者電話番号を照合した結果、両者が一致する場合には（ステップＳ４でＹＥＳ）、本人の正規な加入者カード１４が装着された場合であるから、図４のフローに移り、ＣＰＵ１は、電源オン時に当該携帯電話装置が制限ロック（セキュリティロック）下にあるか否かを判別し（ステップ１４）、その制限ロックが解除されていれば（ステップＳ１４でＮＯ）、電源供給を行うなど全ての機能を動作可能な状態にセットする（ステップＳ１５）。そして、電話通信部５を作動させて現在位置を登録すると共に、所定の待受画像を読み出して表示出力させながら電話／メールの待受状態となる（ステップＳ１６）。
【００２６】
この状態において、電話／メール着信有りを検出すると（ステップＳ１７でＹＥＳ）、着信メロディなどを発生出力させる着信報知を行うと共に、電話あるいはメールの着信処理を実行する(ステップＳ１８)。また、待受状態において、何らかの操作が行われると（ステップＳ１９でＹＥＳ）、それが電源ＯＦＦ操作でなければ（ステップＳ２０でＮＯ）、その操作に対応する処理として、例えば、発信処理、メール作成処理、メール送信処理などを行ったのち（ステップＳ２１）、待受状態となる（ステップＳ１６）。以下、電源ＯＦＦ操作が行われるまで（ステップＳ２０でＹＥＳ）、上述の動作が繰り返される。
【００２７】
また、加入者電話番号の一致検出時に制限ロック下にあれば（ステップＳ１４でＹＥＳ）、図５のフローに移り、ＣＰＵ１は、「緊急ボタン」の操作に応答してカードＩＦ部１３に対して「緊急連絡先番号」の読み取りを指示したのち、加入者カード１４に「緊急連絡先番号」が記録されているかを判別し（ステップＳ２２）、「緊急連絡先番号」が記録されていなければ、パスワード入力画面を表示出力させたのち（ステップＳ２５）、パスワード入力待ち状態となる（ステップＳ２６）。
【００２８】
ここで、パスワードが入力されると、ＣＰＵ１は、加入者カード１４に記録されている「パスワード」を取得すると共に、入力されたパスワードと比較し、両者が一致するかを判別する（ステップＳ２７）。この結果、パスワードの不一致を検出した場合には、正規なパスワード入力を促すメッセージと共に、エラーを示すＮＧメッセージを表示出力させたのち（ステップＳ２８）、電源オフ状態となるが、パスワードの一致を検出した場合には（ステップＳ２７でＹＥＳ）、図４のステップＳ１５に戻り、全ての機能を動作可能な状態にセットする。
【００２９】
また、「緊急連絡先番号」が記録されていれば（ステップＳ２２でＹＥＳ）、上述と同様の緊急発信画面を表示出力させたのち（ステップＳ２３）、この緊急確認画面内の「緊急ボタン」が操作されたかを調べる（ステップＳ２４）。ここで、「緊急ボタン」が操作されるのは、本人の携帯電話装置に加入者カード１４が装着されている状態において、第三者がその携帯電話を使って緊急連絡を行う場合である。いま、「緊急ボタン」が操作されなければ（ステップＳ２４でＮＯ）、パスワード入力画面を表示出力させたのち（ステップＳ２５）、パスワード入力待ち状態となるが（ステップＳ２６）、「緊急ボタン」が操作された場合には（ステップＳ２４でＹＥＳ）、図３のステップＳ８に移り、上述した緊急発信画面を表示出力させる。そして、以下同様に、ＣＰＵ１は、「発信ボタン」の操作に応答して、「緊急連絡先番号」を発信先として指定し、カード内の「加入者電話番号」を発信元として電話発信を行う（ステップＳ９〜Ｓ１３）。
【００３０】
以上のように、この実施例においてＣＰＵ１は、カードＩＦ部１３に加入者カード１４が装着された際に、本人の正規なカードが装着されたか否かを判別し、非正規なカードが装着された場合にそのカードに「緊急連絡先番号」が記録されていれば、この「緊急連絡先番号」に基づいた緊急処理を実行することにより、例えば、本人が事故、病気などのアクシデントによって本人自らがその家族などに連絡することができない場合に、第三者が本人の携帯電話から加入者カード１４を抜き出し、それを第三者所持の携帯電話に装着したとしても、本人に代わって緊急連絡を行うことができる。
【００３１】
また、ＣＰＵ１は、本人の正規な加入者カード１４が装着されている場合に当該カード内に「緊急連絡先番号」が記録されていれば、電源オン時に制限ロック（端末ロック）が設定されている状態であっても、この「緊急連絡先番号」に基づいた緊急処理を実行することにより、上述のようなアクシデント時に本人に代わって第三者が本人の携帯電話を使用して緊急連絡を行うことができる。
【００３２】
この場合、緊急処理として、この緊急連絡先の電話番号を読み出して表示出力させることにより、第三者におっては、緊急連絡先を知ることができる。また、緊急処理として、加入者カード１４に記録されている「加入者電話番号」を発信元として緊急連絡先の電話番号宛に電話発信を行うことにより、口頭での直接的な連絡が可能となる。また、緊急処理の実行可否を問い合わせるメッセージと「緊急ボタン」を含む緊急確認画面を表示させ、この「緊急ボタン」の操作を条件として緊急処理を開始することにより、必要に応じて緊急処理を実行することができる。
【００３３】
なお、上述した実施例においては、電源オン時に電話装置の使用を不可能とする制限ロックを例示したが、電源オン時のロックに限らず、例えば、現在の時間帯に応じて電話装置の使用を制限する時間ロックであってもよい。また、ＧＰＳ(Global Positioning System)機能を備えた携帯電話装置にあっては、現在の場所に応じて電話装置の使用を制限する場所ロックであってもよい。
【００３４】
また、加入者カード１４に記録した緊急用情報（緊急連絡先）としては、本人の家族に限らず、会社関係、友人関係、係り付けの病院、警察などであってもよい。また、加入者カード１４に記録した緊急連絡先は、電話番号に限らず、メールアドレスなどであってもよい。
その他、上述した実施例においては、加入者電話番号が記録されている記録メディアとして、ＳＩＭカードあるいはＵＩＭカードを例示したが、カード型に限らず、スティック型の記録メディアであってもよい。
【図面の簡単な説明】
【００３５】
【図１】携帯端末装置として適用した携帯電話装置の基本的な構成要素を示したブロック図。
【図２】加入者カード１４の記録内容を示した図。
【図３】電源ＯＮ（オン）に伴って実行開始される携帯電話装置の全体動作を示したフローチャート。
【図４】図３に続く、フローチャート。
【図５】図４に続く、フローチャート。
【図６】緊急確認画面を示した図。
【図７】緊急発信画面を示した図。
【符号の説明】
【００３６】
１  ＣＰＵ
２  記憶部
５  電話通信部
１０、１１  表示部
１２  キー操作部
１３  カードＩＦ部
１４  加入者カード
【図１】
2008048082.tif 000003
【図２】
2008048082.tif 000004
【図３】
2008048082.tif 000005
【図４】
2008048082.tif 000006
【図５】
2008048082.tif 000007
【図６】
2008048082.tif 000008
【図７】
2008048082.tif 000009